(57)【要約】【課題】太陽光を所望の屋外採光対象部に効率的に採り込めるようにした採光装置を提供する。【解決手段】本発明に係る採光装置は、屋外の第１設置部に設置されて太陽光を上方向に反射させる第１反射手段１と、屋外の第２設置部に設置されて第１反射手段により反射された光を下方向に反射させる第２反射手段２とを備えたことを特徴とする。また、第１反射手段及び第２反射手段のうちの一方又は両方が、曲面又は球面を備えた反射構造体５により構成されている。【選択図】図１
2020021694.tif 000002
【特許請求の範囲】
【請求項１】
屋外の第１設置部に設置されて太陽光を上方向に反射させる第１反射手段と、屋外の第２設置部に設置されて第１反射手段により反射された光を下方向に反射させる第２反射手段とを備えたことを特徴とする採光装置。
【請求項２】
第１反射手段及び第２反射手段のうちの一方又は両方が、曲面又は球面を備えた反射構造体により構成されたことを特徴とする請求項１に記載の採光装置。
【請求項３】
第１設置部が集合住宅におけるベランダの手摺であり、第２設置部が集合住宅におけるベランダの手摺の上方に位置されたベランダ天井面であることを特徴とする請求項１又は請求項２に記載の採光装置。
【請求項４】
第１設置部が集合住宅における共用廊下の手摺であり、第２設置部が集合住宅における共用廊下の手摺の上方に位置された廊下天井であることを特徴とする請求項１又は請求項２に記載の採光装置。
【請求項５】
第１設置部が集合住宅における階段の手摺であり、第２設置部が集合住宅における階段の手摺の上方に位置される段裏であることを特徴とする請求項１又は請求項２に記載の採光装置。
【発明の詳細な説明】
【技術分野】
【０００１】
本発明は、太陽光を所望の場所に採り込むための採光装置に関する。
【背景技術】
【０００２】
従来、太陽光を反射させて建物内に採り込むようにした採光装置が知られている。
例えば、建物の窓の外側に庇を設けて、この庇の上面に反射手段を設置したことにより、太陽光を室内に採り込むようにした採光装置（特許文献１参照）、ベランダの手すり又は窓枠に、半円柱の弧面状に形成された反射鏡を設置したことにより、太陽光を室内に採り込むようにした採光装置（特許文献２参照）、建物開口部の外側に、ステンレススチール製の円柱状パイプにより形成された光線反射物を設置したことにより、太陽光を室内に採り込むようにした設けた採光装置（特許文献３参照）、ビルの北側軒先に太陽光採光部を設けるとともに、下層階の北面に位置される部屋の窓外に光拡散反射鏡を設置したことにより、太陽光を下層階の室内に採り込むようにした採光装置（特許文献４参照）等が知られている。
【先行技術文献】
【特許文献】
【０００３】
【特許文献１】特開２０００−１２９７９２号公報
【特許文献２】実開昭５８−８８６１６号公報
【特許文献３】特開平１１−６６９２５号公報
【特許文献４】特開平１１−１４９８１１号公報
【発明の概要】
【発明が解決しようとする課題】
【０００４】
しかしながら、特許文献１乃至特許文献４等に開示された採光装置では、太陽光を屋内の採光対象部に採り込むことが可能であるが、所望とする屋外の採光対象部に太陽光を効率的に採り込めないという課題があった。
本発明は、太陽光を所望の屋外採光対象部に効率的に採り込めるようにした採光装置を提供するものである。
【課題を解決するための手段】
【０００５】
本発明に係る採光装置は、屋外の第１設置部に設置されて太陽光を上方向に反射させる第１反射手段と、屋外の第２設置部に設置されて第１反射手段により反射された光を下方向に反射させる第２反射手段とを備えたので、第１反射手段１による反射と第２反射手段２による反射とによって、太陽光を所望の屋外採光対象部に効率的に採り込めるようになる。
また、第１反射手段及び第２反射手段のうちの一方又は両方が、曲面又は球面を備えた反射構造体により構成されたことにより、太陽光をより広い範囲に反射させることができるようになり、太陽光を所望の屋外採光対象部に効率的に採り込めるようになる。
また、第１設置部が集合住宅におけるベランダの手摺であり、第２設置部が集合住宅におけるベランダの手摺の上方に位置されたベランダ天井面であることを特徴とするので、所望の屋外採光対象部としてのベランダ内、及び、当該ベランダと隣り合う屋内採光対象部としての室内に、太陽光を効率的に採り込めるようになる。
また、第１設置部が集合住宅における共用廊下の手摺であり、第２設置部が集合住宅における共用廊下の手摺の上方に位置された廊下天井であることを特徴とするので、所望の屋外採光対象部としての共用廊下、及び、当該共用廊下と隣り合う屋内採光対象部としての室内に、太陽光を効率的に採り込めるようになる。
また、第１設置部が集合住宅における階段の手摺であり、第２設置部が集合住宅における階段の手摺の上方に位置される段裏であることを特徴とするので、所望の屋外採光対象部としての階段上に、太陽光を効率的に採り込めるようになる。
【図面の簡単な説明】
【０００６】
【図１】採光装置を示す断面図。
【図２】反射構造体を示す側面図。
【図３】採光装置を示す断面図。
【発明を実施するための形態】
【０００７】
実施形態１
図１に示すように、実施形態１に係る採光装置は、屋外の第１設置部に設置されて太陽光Ｓを上方向に反射させる第１反射手段１と、屋外の第２設置部に設置されて第１反射手段１により反射された光を下方向に反射させる第２反射手段２とを備えて構成される。
【０００８】
第１設置部は、例えばマンションやアパート等の集合住宅におけるベランダ３の手摺３１の笠木３２の上面３２ｔである。
第２設置部は、例えばベランダ３の上方に位置するベランダ天井面３３である。
【０００９】
即ち、実施形態１に係る採光装置は、例えば、ベランダ３の手摺３１における笠木３２の上面３２ｔに設置され、太陽光Ｓを上方向に位置するベランダ天井面３３の方向に反射させる第１反射手段１と、ベランダ天井面３３に設置され、第１反射手段１により反射された反射光Ｒ１を下方向に反射させてベランダ３の床３４側及び室内４に到達させる第２反射手段２とを備えて構成され、屋外採光対象部としてのベランダ３及び当該ベランダ３と隣り合う屋内採光対象部としての室内４に、太陽光Ｓを効率的に採り込むための採光装置である。
尚、ベランダ３と室内４とを連通させる開口部３５にはサッシュ３６が取り付けられ、第２反射手段２を反射した反射光Ｒ２が、ベランダ３の床３４側に到達したり、開口部３５又はサッシュ３６を介して室内４に到達する。
【００１０】
第１反射手段１は、ベランダ３の手摺３１における笠木３２の上面３２ｔに設けられた複数の反射構造体５，５…により構成される。
第２反射手段２は、ベランダ３の上方に位置されるベランダ天井面３３に設けられた複数の反射構造体５，５…により構成される。
【００１１】
図２に示すように、反射構造体５は、半球面５１と円形底面５２とを備えた半球体形状に形成されている。
反射構造体５は、例えば、図２（ａ）に示すように、半球体形状に形成された金属製の半球体５Ａ、あるいは、図２（ｂ）に示すように、ガラスなどの透明材料により半球面５１を有するように形成された透明半球体５３の円形底面５４に金属膜等の反射膜５５を備えた半球体５Ｂにより構成される。
【００１２】
反射構造体５として、半球体５Ａ、又は、半球体５Ｂを用いることにより、当該半球体５Ａ，５Ｂの円形底面５２を第１設置部，第２設置部への取付面として利用できるので、反射構造体５を、第１設置部としてのベランダ３の手摺３１における笠木３２の上面３２ｔ、又は、第２設置部としてのベランダ天井面３３に、確実かつ安定に取付ることができるようになる。
第１反射手段１を構成する複数の反射構造体５，５…は、例えば、ベランダ３の手摺３１における笠木３２の上面３２ｔの長手方向に沿って並ぶように設けられて、円形底面５２を当該上面３２ｔに接触させた状態で着脱可能なように当該上面３２ｔに取付けられる。
また、第２反射手段２を構成する複数の反射構造体５，５…は、例えば、ベランダ３の手摺３１の上方に位置されるベランダ天井面３３上の縦横方向に行列状に並ぶように設けられて、円形底面５２をベランダ天井面３３に接触させた状態で着脱可能なように当該ベランダ天井面３３に取付けられる。
また、反射構造体５は、図外の取付手段を介して第１設置部，第２設置部に着脱可能に取付けられる。取付手段としては、例えば、反射構造体５に設けられた図外の取付部を介して第１設置部，第２設置部にねじ止めにより着脱可能なように構成したり、反射構造体５を第１設置部，第２設置部に着脱可能に取付けるための図外の接着テープ等の接着手段により構成すればよい。
尚、第１反射手段１、第２反射手段２は、半球体５Ａだけ、あるいは、半球体５Ｂだけで構成してもよいし、半球体５Ａ及び半球体５Ｂを組み合わせて構成してもよい。
【００１３】
次に、実施形態１に係る採光装置の作用効果について説明する。
図１に示すように、太陽光Ｓが、第１反射手段１を構成する複数の反射構造体５，５…によって上方向に反射した後に第２反射手段２を構成する複数の反射構造体５，５…によって下方向に反射して、ベランダ３の床３４側、及び、室内４に到達する。
従って、第１反射手段１による反射と第２反射手段２による反射とによって、ベランダ３に光が拡散して、ベランダ３に採光される光量が多くなる。
即ち、所望の屋外採光対象部としてのベランダ３、及び、当該ベランダ３と隣り合う屋内採光対象部としての室内４に、太陽光Ｓを効率的に採り込めるようになる。
【００１４】
尚、従来の採光装置の場合は、実施形態１の採光装置のような、第１反射手段により上方向に反射した反射光を下方向に反射させる第２反射手段に相当する構成を備えていない。従って、従来の採光装置の場合、例えば、ベランダの手摺の上面に反射構造体を設けたとしても、当該反射構造体によって斜め上方向に反射した光はベランダ天井面に照射されるだけあり、ベランダの床側に反射しない。よって、従来の採光装置は、実施形態１の採光装置と比べて、ベランダ内に採光される光の量が少なくなり、実施形態１の採光装置のように、所望の屋外採光対象部としてのベランダ３、及び、当該ベランダ３と隣り合う屋内採光対象部としての室内４に、太陽光を効率的に採り込めるような採光装置とはならない。
【００１５】
即ち、上述した特許文献１乃至特許文献３に開示された採光装置は、あくまで、実施形態１の採光装置における第１反射手段に相当する反射手段により反射させた反射光を室内に室内に採り込むという技術的思想を開示しているだけである。
また、上述した特許文献４に開示された採光装置は、周囲が建物で囲まれて太陽光を採り込み難い室内に、複数の反射手段を用いて、太陽光を導くという技術的思想を開示しているだけである。
従って、特許文献１乃至特許文献４には、実施形態１の採光装置のように、第１反射手段により上方向に反射した反射光を下方向に反射させる第２反射手段を設けるようにして、所望の屋外採光対象部としてのベランダ３、及び、当該ベランダ３と隣り合う屋内採光対象部としての室内４に、太陽光を効率的に採り込むという技術的思想は示唆すらされていないものである。
【００１６】
また、実施形態１の採光装置によれば、反射構造体５として、半球体５Ａ、又は、半球体５Ｂを用いたので、太陽光Ｓをより広い範囲に反射させることができるようになる。つまり、半球体５Ａ、又は、半球体５Ｂの球面の中心を中心とした放射線状に光を反射させることができるようになるため、ベランダ３に光が拡散して、ベランダ３に採光される光量がより多くなる。即ち、所望の屋外採光対象部としてのベランダ３に太陽光Ｓをより効率的により多く採り込めるようになる。
【００１７】
また、実施形態１の採光装置によれば、太陽光Ｓが第１反射手段１によって反射し、かつ、第２反射手段２によって反射する。即ち、太陽光Ｓを２回反射させているため、光のまぶしさが低減される。
【００１８】
また、実施形態１の採光装置によれば、太陽光Ｓが第１反射手段１及び第２反射手段２によって拡散するため、ベランダ３の様子が第１反射手段１及び第２反射手段２に映り込みにくくなり、下階からベランダ３を覗き見し難くなる。即ち、防犯効果が得られるとともに、プライバシーを守ることができるようになる。
【００１９】
また、太陽光Ｓが第１反射手段１及び第２反射手段２によって拡散してベランダ３への光が増えるため、ベランダ３への鳥の飛来防止、即ち、防鳥効果の高い採光装置が得られ、鳥の糞害防止等の効果を期待できる。
【００２０】
また、実施形態１の採光装置によれば、室内４には、室内４から見て斜め上方に位置するベランダ天井面３３に設けられた第２反射手段２を構成する複数の反射構造体５，５…から光が反射されてくるため、太陽光Ｓが斜め上方から自然に近い状態で室内４に注ぎ込まれるような効果が得られる。
【００２１】
また、実施形態１の採光装置によれば、反射構造体５として、金属製の複数の半球体５Ａ、あるいは、透明半球体５３の円形底面５４に反射膜５５を備えた複数の半球体５Ｂを用いているので、設置部に設置される半球体５Ａ、あるいは、半球体５Ｂの設置数を調整することによって、ベランダ３や室内４への採光量の調整を容易に行えるようになる。
【００２２】
実施形態２
図３に示すように、第１反射手段１を構成する複数の反射構造体５，５…が、集合住宅における共用廊下６の手摺６１における笠木６２の上面（第１設置部）６２ｔの長手方向に沿って並ぶように設けられて、第２反射手段２を構成する複数の反射構造体５，５…が、集合住宅における共用廊下の手摺６１の上方に位置される天井面（第２設置部）６３に設けられた構成の採光装置としてもよい。
実施形態２に係る採光装置によれば、太陽光Ｓが、第１反射手段１を構成する複数の反射構造体５，５…によって上方向に反射した後に第２反射手段２を構成する複数の反射構造体５，５…によって下方向に反射して、共用廊下６の床６４に到達するので、所望の屋外採光対象部としての共用廊下６に太陽光Ｓを効率的に採り込めるようになる。例えば、太陽光Ｓが入射しにくいエレベータホール等に太陽光Ｓを効率的に採り込めるようになる。
また、当該共用廊下６と隣り合う屋内採光対象部としての室内４に開口部３７又はサッシュ３８を介して太陽光Ｓを室内４に効率的に採り込めるようになる。
即ち、実施形態２に係る採光装置によれば、所望の屋外採光対象部としての共用廊下６、及び、当該共用廊下６と隣り合う屋内採光対象部としての室内４に、太陽光Ｓを効率的に採り込めるようになる。
【００２３】
実施形態３
図示しないが、第１反射手段が、集合住宅における下階と上階とを連絡する階段の手摺の上面（第１設置部）に設けられ、第２反射手段が、集合住宅における階段の手摺の上方に位置される段裏（階段の裏面（第２設置部））に設けられた構成の採光装置としてもよい。
実施形態３に係る採光装置によれば、所望の屋外採光対象部としての階段上に、太陽光Ｓを効率的に採り込めるようになる。
【００２４】
反射構造体５は、曲面又は球面を備えた構成であればよい。例えば、球体や円柱体により構成された反射構造体５を用いてもよい。
また、反射構造体５は、曲面又は球面を備えた構成のものを用いることが好ましいが、平面状のものを用いてもよい。
また、反射構造体５は、手摺の笠木以外の部分、例えば、手摺の手摺子等に取付けるようにしてもよい。即ち、手摺を第１設置部として使用する場合、反射構造体５は、手摺におけるいずれかの部位に設けるようにすればよい。
【００２５】
本発明の採光装置は、ビルディング（商業用建築物）の共用廊下や階段、一戸建住宅のベランダ等に設けるようにしてもよい。
【符号の説明】
【００２６】
１  第１反射手段、２  第２反射手段、３  ベランダ、５  反射構造体、
６  共用廊下、３１;６１  手摺、
３２ｔ；６２ｔ  手摺における笠木の上面（第１設置部）、
３３  ベランダ天井面（第２設置部）、６３  天井面（第２設置部）。
【図１】
2020021694.tif 000003
【図２】
2020021694.tif 000004
【図３】
2020021694.tif 000005